(57)【要約】      （修正有）【課題】電動制御により、使用者が必要に応じて随時電動ゲートを制御し、ギャップをブロック遮蔽又は開通することができる電動昇降ゲートを提供する。【解決手段】収容底殻１と、収容底殻内側に設けられ、１つの作動ロッド２１を含む電動昇降装置２と、ブロック壁３１がブロック片３０底側から延伸するブロック部３と、を含み、ブロック壁が更に第１壁３１１と第２壁３１３を含み、収容底殻が更に第１溝と第２溝を含み、第１溝上側に第１開口を、第２溝上側に第２開口を有し、第１溝と第２溝がそれぞれ収容底殻の内側に対称に形成され、第１壁が活動可能に第１開口を経由し、第１溝内に貫通設置され、第２壁が活動可能に第２開口を経由し、第２溝内に貫通設置される。電動昇降装置２は、作動ロッドを１回開放動作し、ブロック部を収容底殻の開放端側方向へ押し動かし、一定距離だけ作動させて停止させ、作動ロッドを更に１回開放動作し、ブロック部を元の位置に復帰させる。【選択図】図１
0003189401.tif 000002
【実用新案登録請求の範囲】
【請求項１】
１つの開放端を有する収容底殻と、
該収容底殻内側に設けられる少なくとも１つの電動昇降装置であり、該昇降装置が１つの作動ロッドを含み、該作動ロッド一端が該昇降装置から自由端を延伸形成し、該自由端は、該収容底殻の開放端方向へ向く少なくとも１つの電動昇降装置と、
ブロック片及びブロック壁を含むブロック部であり、該ブロック壁は、該ブロック片底側から延伸し、該ブロック部は、該作動ロッドの自由端に結合し、該ブロック壁が１つの収容底殻内側に移動可能に収納され、該ブロック片は、該開放端に隣接するブロック部と、
を含み、
そのうち、該ブロック壁は、更に、第１壁及び対称な第２壁を含み、
そのうち、該収容底殻は、更に、１つの第１溝及び第２溝を含み、該第１溝上側に第１開口を有し、該第２溝上側に１つの第２開口を有し、第１溝及び第２溝は、それぞれ該収容底殻の内側に対称に形成され、前記第１壁は、活動可能に該第１開口を経由し、該第１溝内に貫通設置され、前記第２壁は、活動可能に該第２開口を経由し、該第２溝内に貫通設置され、
これにより、該電動昇降装置は、該作動ロッドを１回開放動作し、該ブロック部を該収容底殻の開放端側方向へ押し動かし、一定距離だけ作動させて停止させ、該電動昇降装置は、該作動ロッドを更に１回開放動作し、該ブロック部を元の位置まで復帰させることができる電動昇降ゲート。
【請求項２】
前記ブロック部は、更に、１つの支持構造を含み、該支持構造は、該ブロック部底側に結合し、そのうち、該作動ロッドの自由端は、該ブロック部の支持構造に結合される請求項１に記載の電動昇降ゲート。
【請求項３】
前記ブロック部底側に第１Ｔ形スロットを形成し、前記支持構造一側にＴ形接続部を形成し、該Ｔ形接続部は、該第１Ｔ形スロットに貫通設置され、結合する請求項２に記載の電動昇降ゲート。
【請求項４】
前記収容底殻は、更に、１組の対称な固定レールを含み、該固定レールは、それぞれ該収容底殻内側から水平方向に延伸形成され、前記支持構造底側は、それぞれ足部を形成し、該足部は、それぞれ該固定レール上に設置され、これにより、該ブロック部が該支持構造の支持を利用し、上方に加えられる圧力を受けることができる請求項２又は請求項３に記載の電動昇降ゲート。
【請求項５】
前記支持構造内側に第２Ｔ形スロットを形成し、前記作動ロッドの自由端は、更に、１つの固定片を結合し、該自由端及び固定片は、該第２Ｔ形スロットに貫通設置される請求項４に記載の電動昇降ゲート。
【請求項６】
前記収容底殻は、更に、１組の対称な固定溝を含み、該固定溝は、それぞれ該収容底殻内側から水平方向に延伸形成され、前記電動昇降装置は、更に、１つの固定凸縁を含み、該固定凸縁は、該電動昇降装置一側周縁から外向きに凸伸し、該固定凸縁は、該固定溝内に貫通設置され、該電動昇降装置を固定することに用いられる請求項１又は請求項５に記載の電動昇降ゲート。
【請求項７】
更に、１つの双方向ドアを結合し、該双方向ドアの下側に設けられる電動昇降ゲートであり、該双方向ドアは、
内側に１つの大フレーム内縁を形成する大フレームと、
内側に１つの中フレーム内縁を形成する中フレームと、
ヒンジであり、該ヒンジ一側が該大フレームに接続し、該ヒンジ他側が中フレームに接続し、該ヒンジ系取り付けは、ただ第１方向の転動のみ可能であり、これにより、該中フレームは、該大フレーム内縁に相対して、第１方向へ往復転動開閉することができるヒンジと、
１つのドアリーフ外縁を有し、該ドアリーフ外縁が該中フレーム内縁より小さいドアリーフと、
もう１つのヒンジであり、該もう１つのヒンジ一側は、前記中フレームに接続し、該もう１つのヒンジの他側は、該ドアリーフに接続し、該もう１つのヒンジ系取り付けは、ただ第２方向への転動のみ可能であり、これにより該ドアリーフは、該中フレームに相対して第２方向へ往復転動開閉することができるもう１つのヒンジと、
を含み、
該ドアリーフは、該もう１つのヒンジの第１方向へ不可逆な機能の補助を得て、接続と同時に中フレームを連動し、１つの第１方向へ開放可能な大ドアを形成することができるか、該ドアリーフが押し動かされ、該中フレームを離れ、第１方向に相対して、第２方向へ開放可能な小ドアを形成する請求項１乃至請求項６の何れか１項に記載の電動昇降ゲート。
【考案の詳細な説明】
【技術分野】
【０００１】
本考案は、ギャップの遮蔽装置に関し、特に、電動制御により、使用者が必要に応じて、随時電動ゲートを制御し、ギャップをブロック遮蔽又は開通させる電動昇降ゲートに関する。
【背景技術】
【０００２】
よく見られるドアの構造は、ドアフレーム一側にドアリーフを枢着し、ドアリーフは、ドアフレームに相対して転動し、ドアリーフのドアフレームにおける転動を円滑にする為及び施工等の要因により該ドアフレームは、該ドアリーフより大きく、従って、ドアリーフ及び地面の間に隙間を有し、ドアリーフ外の音、煙霧、灰塵、蚊又は水等が隙間より室内に進入し、該ドアリーフの防音、防煙、防火、防虫、阻水に漏れを発生させ、空気の汚染が深刻な地区では、灰塵も屋内に漂い込むことになる。実際に、一般のドアは、ドアリーフ及びドアリーフの間又はドアリーフ及び上ドアフレームの間にも隙間を有する問題が存在する。
【０００３】
上記問題に対して、ドアリーフ及び地面の間の隙間を密閉する為、現有の製品、例えば、英国Lorient Polyproducts LTD社のウェブサイト上のwww.lorientuk.com/products/8000-series-automatic-threshold-sealsシリーズの防煙、防火及び防音自動ギャップ密閉装置（ある製品は、dropsealと称される）は、多種の関連製品を開示しているが、その構造は、何れもｎ型のストリップ形の外枠内にギャップ密閉用のシール装置を隠し、連動装置を利用し、該シール装置を駆動し、該連動装置は、連動ロッドを有し、該連動ロッドの一側に該ｎ型ストリップ形外枠の開放端に凸伸する圧接頭部を有し、これにより、該自動ギャップ密閉装置は、ドアリーフ下側又はドアリーフ下側の一側辺に取り付けられ、該連動ロッド一側の凸伸する圧接頭部は、ちょうどドアリーフ及びドアリーフの間に位置し、使用者がドアリーフを密閉する動作過程を補助し、該ドアリーフがドアフレームに相対して回転して閉鎖される時、該連動ロッドの圧接頭部がドアフレームの圧接を受けてストリップ形外枠内に進入し、連動ロッドは、シール装置を駆動し、下向きに落とし、該ドアリーフが閉鎖されると同時に、該シール装置は、該ギャップを遮蔽する。相反して該ドアリーフが開放される時、該連動ロッドの圧接頭部は、ドアフレームの圧接を受けずにストリップ形外枠内側に退縮し、該連動ロッドが該シール装置を連動し、ｎ型ストリップ形外枠内部まで縮んで戻り、収納され、上記これら製品の問題は、ドアリーフを開閉する方式の補助を得てシール装置を凸伸又は収納し、ギャップを密閉する必要があることであり、また、前記の現有製品は、各ドアリーフにそれぞれ単独装着して初めて動作する。もう１つの問題は、複数のドアリーフのドアの各２つのドアリーフの間にも隙間があるので、現有製品の連動装置の連動ロッドの動作方式は、ドアリーフ及びドアリーフの間の閉じ合う箇所に取り付ける方向の動作に適合しない。現有の製品は、複数のドアリーフの各ドアのドアリーフの下側にそれぞれ取り付け、複数のドアリーフが同時に密閉される時、該シール装置は、それぞれ各ドアリーフ下端に共に落下することにより該ギャップを閉鎖するが、シール装置とシール装置の間に依然として隙間が残り、音、蚊、煙霧、水等が依然として室内に進入可能であり、ギャップに対する密閉遮蔽が不十分であるという問題がある。
【先行技術文献】
【特許文献】
【０００４】
【特許文献１】特開２０１３−２５０１０５号公報
【考案の概要】
【考案が解決しようとする課題】
【０００５】
この為、本考案は、ドアの各方位に取り付け、ギャップを遮蔽することに用いる電動昇降ゲートを提供し、本考案が提供する電動昇降ゲートは、電動制御可能であり、使用者が必要に応じて、随時本考案の電動ゲートを制御し、ギャップをブロック遮蔽又は開通させることができ、上記の問題を克服する。
【課題を解決するための手段】
【０００６】
本考案が提供する電動昇降ゲートは、実施形態において、特に、地上の地溝内に取り付けられ、地上及びゲートフレームの間のギャップを遮蔽するか、本考案が上ドアフレームに取り付けられ、上ドアフレーム及びドアリーフの間の隙間を遮蔽するか、本考案がドアリーフ及びドアリーフの間のそのうち１つのドアリーフの側辺内側に取り付けられ、２つのドアリーフの間の隙間を遮蔽することに用いることができる。
【０００７】
本考案の電動昇降ゲートは、開放端を有する収容底殻と、該収容底殻内側に設けられる少なくとも１つの電動昇降装置であり、該昇降装置が作動ロッドを含み、該作動ロッド一端が該昇降装置から自由端を延伸形成し、該自由端が該収容底殻の開放端方向へ向いた少なくとも１つの電動昇降装置と、ブロック片、ブロック壁を含むブロック部であり、該ブロック壁が該ブロック片底側から延伸し、該ブロック部が該作動ロッドの自由端に結合し、該ブロック壁が移動可能に収容底殻内側に収納され、該ブロック片は、移動可能に該開放端に隣接するブロック部と、を含み、これにより、該電動昇降装置は、該作動ロッドを１回開放動作し、該ブロック部を該収容底殻の開放端外側方向へ押し動かし、ギャップを遮蔽するよう一定距離だけ作動して停止し、該電動昇降装置は、該作動ロッドを更に１回開放動作し、該ブロック部を元の位置に戻ることができる。
【考案の効果】
【０００８】
現有技術がドアリーフの動作の補助を得てタッチ制御することと異なり、本考案の電動昇降ゲートの実施例は、ドアリーフ底下に予め開設した地溝内に取り付けられ、電動制御により、１つのドアリーフ又は複数のドアリーフ底下のギャップを上向きに遮蔽し、使用者がドアを開く時、使用者が一時的に電動制御の補助を得て該ブロック部を該収容底殻内部に収納させることができる。
【図面の簡単な説明】
【０００９】
【図１】本考案の電動昇降ゲートの断面立体説明図である。
【図２】本考案の電動昇降ゲートの分解説明図である。
【図３】本考案の電動昇降ゲートのブロック部が収容底殻内部に収納されている説明図である。
【図４】本考案の電動昇降ゲートのブロック部が収容底殻外部に凸伸している説明図である。
【図５】本考案の電動昇降ゲートがドアのブロック側に結合している説明図である。
【図６】本考案の電動昇降ゲート閉鎖時にブロック部がドアギャップに凸伸遮蔽している説明図である。
【図７】本考案の電動昇降ゲート開放時にブロック部が収容底殻内部に収納され、ドアギャップを遮蔽していない説明図である。
【考案を実施するための形態】
【００１０】
本考案の特徴及び利点に対し、更に理解させるため、以下に実施例を挙げ、図面を合わせて説明する。
【００１１】
図１〜図４を参照し、本考案は、電動昇降ゲート１００は、開放端１１を有する収容底殻１と、該収容底殻１内側に設けられる少なくとも１つの電動昇降装置２であり、該昇降装置が作動ロッド２１を含み、該作動ロッド２１一端が該昇降装置２から自由端２１１を延伸形成し、該自由端２１１が該収容底殻の開放端１１方向へ向いた少なくとも１つの電動昇降装置２と、ブロック片３０、ブロック壁３１を含むブロック部３であり、該ブロック壁３１が該ブロック片３０底側から延伸し、該ブロック部３が該作動ロッド２１の自由端２１１に結合し、該ブロック壁３１が移動可能に収容底殻１内側に収納され、該ブロック片３０は、移動可能に該開放端１１に隣接するブロック部３と、を含み、好適実施形態において、該電動昇降装置２は、２つであり、それぞれ個別の作動ロッド２１の自由端２１１を利用し、該ブロック部３の両側に接続し、同時に、該ブロック部３を押し動かす。ドアの大きさ及びドアリーフの数量は、それぞれ異なり、ブロック３の質量、スパンに基づき、電動昇降装置２を複数に追加して使用し、作動させることができる。
【００１２】
本考案の実施形態において、該収容底殻１は、更に、第１溝１５及び第２溝１７を含み、該第１溝１５上側に開口１５１を有し、該第２溝１７上側に第２開口１７１を有し、第１溝１５及び第２溝１７は、それぞれ該収容底殻１の内側に対称形成され、前記第１壁３１１は、活動可能に該第１開口１３１を経由し、該第１溝１５内に貫通設置され、前記第２壁３１３は、活動可能に該第２開口１７１を経由し、該２溝１７内に貫通設置される。更に、該第１開口１５１の端縁に一組の内凸縁１５３を対称形成し、該第２開口１７１の端縁に一組の内凸縁１７３を対称形成し、前記第１壁３１１の自由端は、Ｔ形凸縁３１１２を形成し、前記第２壁３１３の自由端は、Ｔ形凸縁３１３２を形成し、これにより、前記電動昇降装置２は、該支持構造３３を押し動かし、該ブロック部３を連動し、該収容底殻１の開放端１１外部方向へ延伸し、ギャップを遮蔽し、該第１壁３１１の自由端のＴ形凸縁３１１２、第２壁３１３の自由端のＴ形凸縁３１３２は、内凸縁１５３及び内凸縁１７３に係止されることに用いられ、該第１開口１５１、第２開口１７１を密閉し、該ブロック部３が該収容底殻１から離脱することを回避し、適当な変形量を有する。
【００１３】
これにより、本考案の該電動昇降装置２は、該作動ロッドを１回開放動作し、該ブロック部３を該収容底殻１の開放端１１へ押し動かし、一定距離だけ動作させて停止させ、ブロックを形成し、ギャップを遮蔽することに用い、該電動昇降装置２は、該作動ロッド２１を更に１回開放動作し、該ブロック部３を元の位置に復帰させることができる。
【００１４】
特に説明すべきこととして、前記収容底殻１内部の収容空間は、有限であるので、該電動昇降装置２の体積は、収容底殻１内の容積に制限される必要があり、電動昇降装置２の体積が小さく、その作用力の大きさが一定の限度を有し、該ブロック部３の重量及び精密度に相対して、該昇降装置２の動力に併せて適当な範囲内に制御される必要があり、特に、本考案の実施例の該昇降装置２は、直接駆動の昇降装置２であり、押し上げ力が直接該ブロック部３の作動に伝導され、その直接駆動の方式は、現有の製品と異なる。この為、本考案の該ブロック部３のブロック壁３１の第１壁３１１及び第２壁３１３は、好ましくは、ストリップ状の軟性構造、例えば、ゴム又はシリコーン又はソフトプラスチック等から選択されて形成されるブロック壁３１であり、前記第１溝１５及び第２溝１７内部の空間は、該ブロック壁３１の第１壁３１１及び第２壁３１３の体積に相対して大きく、これにより、前記第１壁３１１は、適当で十分な裕度を有し、該第１溝１５の内部で作動でき、該第１溝１５のガイドを受けて、壁の形状を維持し、前記第２壁３１３は、適当且つ十分な裕度を有し、該第２溝１７の内部で作動でき、該第２溝１７のガイドを受けて壁の形状を維持する。昇降装置２が該ブロック壁３１を押し上げ、凸伸作動するか、収容底殻１内部に復帰する過程において、収容底殻１内壁及び内部構造に対して硬性の阻害又は摩擦を発生させることがなく、電動昇降装置２の駆動行為を制御し、該第１壁３１１、第２壁３１３は、適当な柔軟性質及び変形の空間を有し、該収容底殻１内の第１溝１５、第２溝１７と硬性の阻害を発生することがないので、本考案のブロック部３及びそのブロック壁３１は、環境温度の変化が比較的大きいか、作動速度が比較的速い状況において、変形し、該電動昇降装置２により円滑に収容底殻１外側に押し上げられ、ギャップをブロックするか、該収容底殻１内に復帰し、収納されることができる。
【００１５】
図５の本考案の電動昇降ゲート１００の実施形態を参照し、本考案の収容底殻１及び前記ブロック部３は、ストリップ形であり、ドア４下に予め開設された地溝内に取り付けられることができ、ドアリーフの動作の補助を得ずにブロック部３の凸伸を操作制御し、ギャップＧを遮蔽でき、本考案は、電動制御により動作でき、例えば、電動ドアロック又は電動ボタンを使用するか、リモート装置の命令の補助により本考案の該電動昇降装置２に電気接続し、作動させ、本実施形態において、該ドアリーフ把手８に取り付けられる電子制御ドアロック（図示せず）が電気接続する本考案の電動昇降装置２は、該電動昇降装置２は、ＩＣ回路駆動制御ユニット（図示せず）を含み、該ＩＣ回路駆動制御ユニットは、該収容底殻１内部に設けられ、該電動昇降装置２に電気接続され、図４及び図６を同時に参照し、ドアリーフ把手８が該ドア４を閉鎖する時、該電子制御ドアロックを触発し、電気信号命令を発し、ＩＣ回路駆動制御ユニットに該電動昇降装置２の作動ロッド２１を起動させ、該ブロック部３を押し上げ、収容底殻１から上向きに該ドアリーフ底下との間のギャップＧを凸伸遮蔽させ、従って、ただ１つのユニットのブロック部３及びそのブロック壁３１を有し、複数のドアリーフ下側と地面との間を完全にブロックし、ギャップＧを密閉し、音声、煙霧、昆虫、水、灰塵がここから進入することを遮断することができる。図３及び図７を更に参照し、使用者がドアリーフ把手８を操作し、該ドア４を開く時、電気信号指令を発し、該電動昇降装置２がギャップＧから離れるよう該ブロック部３を引き縮め、該ブロック部３が該収容底殻１内部に収納され、車いす、人、貨物が該門を出入りすることに便利にすることができる。
【００１６】
同時に上記実施形態により、当業者は、本考案が上ドアフレームに取り付けられ、上ドアフレーム及びドアリーフの間の隙間を遮蔽するか、本考案がドアリーフとドアリーフの間のうち１つのドアリーフの辺縁内側に取り付けられ、２つのドアリーフの間の隙間を遮蔽することに用いることができることを本文から理解することができる。
【００１７】
図２、図３、図４の本考案の実施形態を同時に参照し、該ブロック部３は、更に、支持構造３３を含み、該支持構造３３は、ストリップ形の剛性の支持構造３３であり、該支持構造３３は、該ブロック部３底側に合わさり、そのうち、該作動ロッド２１の自由端２１１は、該ブロック部３の支持構造３３に結合し、該支持構造３３の該ブロック部に対応する長さは、ブロック部３の下側に結合し、本考案の実施形態のブロック部３は、軟質材料、例えば、ゴム、プラスチックを選択し、該支持構造３３は、剛性材、例えば、金属のアルミ合金、鉄材を選択するか、硬質のプラスチック材を選択し、ブロック部を大きなスパンで変形しないよう支持し、同時に、該電動昇降装置２は、収容底殻１内部に取り付けられ、好ましい実施方式は、２つの電動昇降装置２をそれぞれ収容底殻１両側に設け、２つの作動ロッド２１の自由端２１１を利用し、それぞれ支持構造３３の両側に結合し、２つの電動昇降装置２の作動ロッド２１が同期して該支持構造３３を持ち上げるか、引き縮め、該ブロックを連動させるよう支援し、外向きに凸伸、固定させ、該ブロック部３のブロック片及びブロック壁３１が支持構造３３の支持を受けてギャップをブロック密閉した状況において、変形せず、隙間を発生することなく、或いは、上記実施形態の図５に示す本考案は、ギャップ下の地溝中に埋設され、人又は車椅子等の各種物品の外力がブロック３上側に加えられた場合、支持構造３３は、ブロック部３が外力に抵抗して変形しないように支持することができる。
【００１８】
図１〜図４の本考案の実施形態を参照し、該ブロック壁３１の第１壁３１１及び対称な第２壁３１３の両者の間に隙間３１５を有するｎ字型のストリップ状のブロック部３を形成し、それに合わせた収容底殻１は、Ｕ字状のストリップ底殻であり、該支持構造３３は、該隙間３１５を利用して該ブロック部３底側に結合され、そのうち、該ブロック部３のｎ字型の両底側のブロック壁３１の幅は、該収容底殻１のＵ型内側幅より小さく、該収容底殻１を用いて該ブロック壁３１を収納すると同時に、該ブロック部３のブロック片３０は、移動可能に隣接して該収容底殻１の開放端１１を覆うことができる。
【００１９】
本考案の実施形態は、該ブロック部３は、断面図から見て、その底側に第１Ｔ形スロット３５を形成し、前記支持構造３３は、断面図から見て、その一側にＴ形を有する接続部３３１を形成し、該支持構造３３のＴ形接続部３３１は、該ブロック部３の第１Ｔ形スロット３５に貫通設置して迅速に結合される。
【００２０】
本考案の実施形態において、そのうち、該収容底殻１は、更に、人組の対称な固定レール１３を含み、該固定レール１３は、それぞれ該収容底殻１内側から水平方向に延伸形成され、前記支持構造３３底側にそれぞれ足部３３３を形成し、該足部３３３は、それぞれ該固定レール１３上に設置され、これにより、該ブロック部３１は、該支持構造３３を利用し、ブロック部３１上方に加えられる圧力を受けることができる。
【００２１】
本考案の実施形態において、そのうち、該収容底殻１は、更に、１組の対称な固定溝２５を含み、該固定溝２５は、それぞれ、該収容底殻１内側から水平方向に延伸形成され、前記電動昇降装置２は、更に固定凸縁２３を含み、該固定凸縁２３は、該電動昇降装置２一側周縁から外向きに凸伸し、該固定凸縁２３は、該固定溝２５内に貫通設置され、該電動昇降装置２を固定することに用いられ、そのうち、該支持構造３３内側に第２Ｔ形スロット３３５を形成し、前記作動ロッド２１の自由端２１１は、更に、固定片２１３を結合し、該自由端２１１及び固定片２１３は、該第２Ｔ形スロット３３５に貫通設置され、該作動ロッド２１を該支持構造３３に結合することに用いる。
【００２２】
本考案の実施形態において、そのうち、該電動昇降装置２は、線形ステッピングモータである。
【００２３】
本考案の実施形態において、該収容底殻１は、更に、１組の延伸部１９を含み、該延伸部１９は、収容底殻１の開放端から外向きに延伸し、該延伸部１９は、該ブロック片３０を合わせ、該開放端１１に隣接すると同時に、該ブロック片３０の両側の高さに加わることに用いられ、使用者の足部がブロック片３０の両側の高さに触れることを回避するか、車椅子等が延伸部１９の補助を得て、該ブロック片３０上方を通過することができ。施工ユニットが、該延伸部１９の補助を得て、本考案を地溝両側に固定し、或いは、ドアリーフ又はドアリーフ周縁に固定することができる。
【００２４】
図５〜図７を参照し、本考案の実施形態は、更に双方向ドア４を結合し、前記電動昇降ゲート１００は、該双方向ドア４の下側に設けられ、該双方向ドア４のギャップＧを遮蔽することに用いられ、該双方向ドア４は、大フレーム４０、中フレーム５０、ドアリーフ７０を含有し、該大フレーム４内側に大フレーム内縁４０１を形成し、該中フレーム５０内側に中フレーム内縁５０１を形成し、該中フレーム５０外側に中フレーム外縁５０３を形成し、該中フレーム外縁５０３は、大フレーム内縁４０１より小さい。ヒンジ（図示せず）一側を利用し、該大フレーム４０に接続し、該ヒンジ他側は、中フレーム５０に接続し、該ヒンジ系の取り付けは、ただ第１方向Ｓ１へのみ転動でき（図５参照）、これにより、該中フレーム５０は、該大フレーム内縁４０１に相対して第１方向Ｓ１へ往復転動開閉することができる。該ドアリーフ７０は、ドアリーフ外縁７０１を有し、該ドアリーフ外縁７０１は、該中フレーム内縁５０１より小さい。更に、もう１つのヒンジ（図示せず）一側を利用し、前記中フレーム５０に接続し、該もう１つのヒンジの他側は、該ドアリーフ外縁７０１に接続し、該ヒンジ系取り付けは、ただ第２方向Ｓ２のみに転動可能であり（図７参照）、第２ヒンジ（図示せず）の第１方向Ｓ１への不可逆の機能を形成し、これにより該ドアリーフ７０は、該中フレーム内縁５０１に相対して、第２方向Ｓ２へ往復転動開閉することができる。
【００２５】
図５を参照し、そのうち、該ドアリーフ７０は、ヒンジの第１方向Ｓ１へ不可逆機能の補助を得て、接続と同時に中フレーム５０を連動し、第１方向Ｓ１へ開放可能な大きなドア（中フレームがドアリーフ７０を結合）を形成することができる。
【００２６】
図７を参照し、そのうち、該ドアリーフ７０は、押し動かされて、該中フレーム５０から離れ、第１方向Ｓ１に相対して、第２方向Ｓ２へ開放可能な小ドア（ドアリーフ７０）を形成する。
【００２７】
前記の大ドア（中フレーム５０がドアリーフ７０を結合）の第１方向Ｓ１へ向かう開放又は小ドア（ドアリーフ７０）の第２方向Ｓ２への開放は、外向き又は内向き（又は左向き、右向き）の開放を同時に有する双方向機能を達成する。
【００２８】
該双方向ドア４は、ドア用ヒンジの異なる取り付け方法の補助を得て、大フレーム４０、中フレーム５０及びドアリーフ７０を結合し、２ドアフレーム(doorframe)１ドアリーフ(doorleaf)の３つが１つになったドア中のドア構造を形成し、実質上１ドアフレーム２ドアリーフの独特なドア枠の構造（Door-setstructure）を形成し、該ドア中のドア機能の大ドアは、同時に、小ドアの２つの実体ドアを含み、２つの単一方向に開放するドアリーフ機能を分けて管理し、該中フレーム５０及びドアリーフ７０は、大フレーム４０を基軸として第１方向Ｓ１に相対し、第２方向Ｓ２へ開放可能な小ドア（ドアリーフ７０）を形成し、精巧な開放方向を作り出し、大きな角度で開放し、弾性的任意方向にドアを押すことができ、非常口及びドア閉鎖防火の機能を有することができるが、該双方向ドア３は、上記の双方向開放の目的を達成する為、該双方向ドア４下側及びフロアの間にギャップＧを残す必要があり、この為、本考案の双方向ドア４は、特に、電動昇降ゲート１００を下側フロア中に開設した収容溝内又は地面下の収容溝内に結合する必要があり、該ドアリーフ把手８に取り付けられる電子制御ドアロック（図示せず）が電気接続する本考案の電動昇降装置２について、該電動昇降装置２は、ＩＣ回路駆動制御ユニット（図示せず）を含み、該ＩＣ回路駆動制御ユニットは、該収容底殻１内部に設けられ、該電動昇降装置２に電気接続することができ、図４及び図６を同時に参照し、ドアリーフ把手８が該ドア４を閉鎖する時、該電子制御ドアロックを触発し、電気信号命令を発し、ＩＣ回路駆動制御ユニットに該電動昇降装置２の作動ロッド２１を起動させ、該ブロック部３を押し上げ、収容底殻１から上向きに凸伸させ、地上及び該ドアリーフ底下の間のギャップＧを遮蔽させ、図３及び図７を山椒水、使用者がドアリーフ８を操作し、該ドアを開放する時、電気信号を発し、該命令が該電動昇降装置２に該ブロック部３を引き縮めさせ、ギャップから離れさせ、該ブロック部３は、該収容底殻１内部に収納される。
【００２９】
本考案の双方向ドア４は、従来の中心型双方向ドア（double-action）に限らず、そのフレームリーフの間が押し引き開閉される時、ドアリーフの軸回転の極限的な角度が制限されることを回避し、本考案のドアリーフは、極限角度、例えば、１８０度まで押し引きすることができる。本考案は、建築物、例えば、玄関のドア、室内のドア、特に、１８０度開く壁に貼付された通路のドア、防火ドアに応用され、この双方向が１つに合わさったことにより、押すだけでよく（即ち、偏心型単方向ドア<single-action>で到達できない機能）、前代未聞の弾性及び利便性、即ち、左ドア開放（L.H.）及び右ドア開放（R.H.）を獲得し、フレームドアとして融合共存している。
【００３０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３１】
１００  電動昇降ゲート
１  収容底殻
１１  開放端
１３  固定レール
１５  第１溝
１５１  第１開口
１５３  内凸縁
１７  第２溝
１７１  第２開口
１７３  内凸縁
１９  延伸部
２  昇降装置
２１  作動ロッド
２１１  自由端
２１３  固定片
２３  固定凸縁
２５  固定溝
３  ブロック部
３０  ブロック片
３１  ブロック壁
３１１  第１壁
３１１２  Ｔ形凸縁
３１３  第２壁
３１３２  Ｔ形凸縁
３１５  隙間
３３  支持構造
３３１  Ｔ形接続部
３３３  足部
３３５  第２Ｔ形スロット
３５  第１Ｔ形スロット
４  双方向ドア
４０  大フレーム
４０１  大フレーム内縁
５０  中フレーム
５０１  中フレーム内縁
５０３  中フレーム外縁
７０  ドアリーフ
７０１  ドアリーフ外縁
８  ドアリーフ把手
Ｇ  ギャップ
Ｓ１  第１方向
Ｓ２  第２方向
【図１】
0003189401.tif 000003
【図２】
0003189401.tif 000004
【図３】
0003189401.tif 000005
【図４】
0003189401.tif 000006
【図５】
0003189401.tif 000007
【図６】
0003189401.tif 000008
【図７】
0003189401.tif 000009